(57)【要約】【課題】  給紙性能を低下させずにパッド受台の振動による騒音を解消することができる給紙装置を提供する。【解決手段】  積載された用紙を給紙する給紙ローラ１と、摩擦係数の高い分離パッド２と、分離パッド２を給紙ローラへ付勢するパッド受台３と、パッド受台３を収容する受台ホルダ４とを備え、さらに、パッド受台３と受台ホルダ４の隙間に充填される隙間充填部材１１を備えた給紙装置。【選択図】  図１
2006298546.tif 000002
【特許請求の範囲】
【請求項１】
給紙トレイに積載された用紙束の上面に接して回転することにより用紙を給紙する給紙ローラと、摩擦係数の高い分離パッドを支持し該分離パッドを給紙ローラ周面に圧接するパッド受台と、該パッド受台を支持する支持凹所を備えた受台ホルダとを備え、さらに、パッド受台と受台ホルダの支持凹所内壁との隙間に充填される隙間充填部材を備えたことを特徴とする給紙装置。
【請求項２】
隙間充填部材が防振材からなることを特徴とする請求項１記載の給紙装置。
【請求項３】
受台ホルダが用紙を積載する給紙トレイと一体で成形されていることを特徴とする請求項１または請求項２記載の給紙装置。
【請求項４】
請求項１、２、又は３の何れか一項に記載の給紙装置を備えたことを特徴とする画像形成装置。
【発明の詳細な説明】
【技術分野】
【０００１】
本発明は、複写機、プリンタ、ファクシミリ、印刷機あるいはこれらの複合機等の画像形成装置に使用される給紙装置に関し、特に積載された用紙を高摩擦係数の分離パッドを用いて１枚ずつ分離する分離パッド方式の給紙装置、及びその給紙装置を搭載した画像形成装置に関する。
【背景技術】
【０００２】
複写機、プリンタ等の画像形成装置では、積載された用紙を画像形成部に１枚ずつに分離して給送するための分離機構を有する給紙装置を備えている。この分離機構として、高摩擦係数の分離パッドを用いる分離パッド方式のものが広く採用されている。
図２は従来例に係る分離パッド方式の給紙装置の構成図である。この給紙装置では、図示しない給紙トレイの底板等の上に積載された用紙束Ｐの最上紙を矢印Ａ方向(反時計回り方向)に回転する給紙ローラ１で搬送する際に、給紙ローラ１に圧接された摩擦係数の高い分離パッド２により用紙の重送を阻止している。分離パッド２を保持するパッド受台３は、受台ホルダ４に収容され、圧縮バネ５によって給紙ローラ１の周面に向けて付勢されていることで分離パッド２は給紙ローラ１に圧接される。
ところで、このような構造の給紙装置においては分離性能の向上とその安定化が問題であった。すなわち用紙の分離力は大きければ大きいほど良いが、分離パッド２の摩擦係数を高くして分離力を大きくすると、分離パッド２と給紙ローラ１とが圧接しているニップ部を用紙が搬送される際に、用紙と高摩擦係数の分離パッド２が擦れてスリップを起こすことがあり、不快なビビリ振動音を発生する。
このようなことから、例えば、特許文献１には、分離パッドの角度を給紙方向において上流側面と下流側面とで変化させる技術が開示されている。この従来例においては、通紙する用紙束が分離パッドと斜めに当接する箇所を２箇所設けることにより、分離パッドの摩擦係数を必要以上に高くすること無く用紙分離性能を向上させている。
【特許文献１】特開平９−２６７９３６号公報
【発明の開示】
【発明が解決しようとする課題】
【０００３】
しかし従来の分離パッド方式による給紙装置の場合、給紙ローラ１と分離パッド２とが接する点Ｂとパッド受台３の支持部６との距離が長く、パッド受台３にかかるモーメントが大きくなるため、パッド受台３が受台ホルダ４内で両矢印Ｃ方向(給紙方向における上流側、下流側)に振動して、不快なビビリ振動音を発生することがある。特にパッド受台３と受台ホルダ４との間にガタがある場合には振動音が大きくなるという問題があった。
本発明は、上記不具合に鑑みてなされたものであり、給紙性能を低下させずにパッド受台の振動による騒音を解消することができる給紙装置及び画像形成装置を提供することを目的とする。
【課題を解決するための手段】
【０００４】
上記目的を達成するために、請求項１記載の発明は、給紙トレイに積載された用紙束の上面に接して回転することにより用紙を給紙する給紙ローラと、摩擦係数の高い分離パッドを支持し該分離パッドを給紙ローラ周面に圧接するパッド受台と、該パッド受台を収容する支持凹所を備えた受台ホルダとを備え、さらに、パッド受台と受台ホルダの支持凹所内壁との隙間に充填される隙間充填部材を備えたことを特徴とする。
請求項２記載の発明は、隙間充填部材が防振材からなる請求項１記載の給紙装置を主要な特徴とする。
請求項３記載の発明は、受台ホルダが用紙を積載する給紙トレイと一体で成形されている請求項１または請求項２記載の給紙装置を主要な特徴とする。
請求項４記載の発明は、請求項１の給紙装置を備えた画像形成装置を最も主要な特徴とする。
【発明の効果】
【０００５】
本発明の給紙装置は、積載された用紙を給紙する給紙ローラと、摩擦係数の高い分離パッドと、分離パッドを給紙ローラへ付勢するパッド受台と、パッド受台を収容する受台ホルダとを備え、さらに、パッド受台と受台ホルダの隙間に充填される隙間充填部材を備えたことで、給紙性能を低下させずにパッド受台の振動による騒音を解消することができる。
【発明を実施するための最良の形態】
【０００６】
以下、図１を参照しながら本発明の実施形態について説明する。
図１は本発明の実施形態に係る分離パッド方式の給紙装置の構成図である。この給紙装置では、図示しない給紙トレイ（カセット）の底板等の上に積載された用紙束Ｐの最上紙を矢印Ａ方向(反時計回り方向)に回転する給紙ローラ１で搬送し、給紙ローラ１に圧接された摩擦係数の高い分離パッド２により用紙の重送を阻止している。分離パッド２を保持するパッド受台３は、受台ホルダ４に収容され、圧縮バネ５によって給紙ローラ１の周面に向けて付勢されていることで分離パッド２は給紙ローラ１に圧接される。
即ち、パッド受台３は給紙ローラ１の周面と対面する上面に分離パッド２を支持する本体３ａと、本体３ａの下部から突設した突出部材３ｂとを備え、突出部材３ｂにはコイルバネとしての圧縮バネ５が取り付けられていてパッド受台全体を給紙ローラ１の周面に向けて付勢している。受台ホルダ４はパッド受台３の本体３ａを上下動可能に支持する支持凹所４ａを備えている。
本実施形態では、パッド受台３と受台ホルダ４の支持凹所４ａ内壁との隙間を埋める隙間充填部材１１が、支持凹所４ａ内壁、或いはパッド受台本体３ａの外面に設けられている。この隙間充填部材１１は、表面の粗さが細かく表面摩擦係数が低い材料にて構成されているので、パッド受台３が圧縮バネ５によって給紙ローラ１に圧接される動作を妨げない。
このようにパッド受台３と受台ホルダ４との隙間に隙間充填部材１１を充填（配置）したので、搬送される用紙の分離性能を落すことなく、搬送される用紙と高摩擦係数の分離パッド２が互いに擦れてスティックスリップを起こした場合にも、パッド受台３が振動し、あるいはパッド受台３が組みつけられている受台ホルダ４が振動して不快な振動音を発生することがなくなる。
また、この隙間充填部材１１を防振性の材料によって構成する場合には、搬送される用紙と高摩擦係数の分離パッド２がスティックスリップを起こした時にも、積極的に制振作用が働いて、不快な振動音の発生をさらに効果的に押さえることができる。ここで受台ホルダ４を給紙トレイと一体で形成すると、受台ホルダ４と給紙トレイ間の振動音はなくなる。
【図面の簡単な説明】
【０００７】
【図１】本発明の実施形態に係る分離パッド方式の給紙装置の構成図である。
【図２】従来例に係る分離パッド方式の給紙装置の構成図である。
【符号の説明】
【０００８】
Ｐ  用紙、１  給紙ローラ、２  分離パッド、３  パッド受台、４  受台ホルダ、５  圧縮バネ、１１  隙間充填部材
【図１】
2006298546.tif 000003
【図２】
2006298546.tif 000004